(57)【要約】【課題】穿孔面積のバラツキの発生を抑制しつつ、不発現象の発生を抑制することを可能とする孔版製版装置を提供する。【解決手段】孔版製版装置は、画像データに二値化処理を施す二値化手段と、二値化手段により二値化された二値データに対して、文字画像の領域と非文字画像の領域を検出する検出手段１５１と、検出手段により検出された前記非文字画像の領域に低解像度処理を施す低解像度化手段１５４と、二値化処理及び低解像度処理を施された加工データを前記低解像度化手段により低解像度化される前の解像度に復元する解像度復元手段１５６と、備え、解像度復元手段により復元された画素の位置に、低解像度化手段により低解像度処理を施された後の前記画素と同一の画素を連続的に配置した配置データを生成するデータ生成手段１５７と、を備える。【選択図】図２
2017007256.tif 000002
【特許請求の範囲】
【請求項１】
孔版原紙に穿孔画像を製版する製版手段と、
入力された画像データに二値化処理を施す二値化手段と、
前記二値化手段により二値化された二値データに対して、文字画像の領域と非文字画像の領域を検出する検出手段と、
前記検出手段により検出された前記非文字画像の領域に低解像度処理を施す低解像度化手段と、
前記二値化処理及び前記低解像度処理を施された加工データを前記低解像度化手段により低解像度化される前の解像度に復元する解像度復元手段と、備え、
前記解像度復元手段により復元された画素の位置に、前記低解像度化手段により低解像度処理を施された後の前記画素と同一の画素を連続的に配置した配置データを生成するデータ生成手段と、
を備え、
前記製版手段は、前記配置データに基づいて、前記画像データを製版する、
ことを特徴とする孔版製版装置。
【請求項２】
孔版原紙に穿孔画像を製版する製版手段と、
入力された画像データに対して、文字画像の領域と非文字画像の領域を検出する検出手段と、
前記検出手段により検出された前記非文字画像の注目の画素列の画素と同一の画素を、前記画素列と隣接する隣接画素列の画素に連続的に配置した配置データを生成するデータ生成手段と、を備え、
前記製版手段は、前記配置データに基づいて、前記画像データを製版する、
ことを特徴とする孔版製版装置。
【請求項３】
前記データ生成手段は、
前記検出手段により検出された前記非文字画像の領域に低解像度処理を施す低解像度化手段と、
前記二値化処理及び前記低解像度処理を施された加工データを前記低解像度化手段により低解像度化される前の解像度に復元する解像度復元手段と、備え、
前記解像度復元手段により復元された画素の位置に、前記低解像度化手段により低解像度処理を施された後の前記画素と同一の画素を連続的に配置した配置データを生成する
ことを特徴とする請求項２に記載の孔版製版装置。
【発明の詳細な説明】
【技術分野】
【０００１】
本発明は、孔版製版装置に関する。
【背景技術】
【０００２】
孔版印刷装置では、白黒データに基づいて、発熱体を発熱させ孔版原紙のフィルムを溶かして穿孔させることで孔版原紙に穿孔画像を形成する。ここで、白黒データは、原稿から生成された画像データの各画素を二値化して得られるデータのことである。そして、穿孔画像が形成された孔版を使って印刷することで、大量印刷の高速化を実現している。
【０００３】
大量に印刷するためには、フィルムの耐久性が必要となるが、フィルムの耐久性を向上させると、熱に対するフィルムの感度が悪くなってしまうという問題がある。写真などの再現精度を向上させるためには、穿孔対象の各画素を確実に穿孔させることが重要となる。
【０００４】
しかしながら、熱に対するフィルムの感度が悪いと、特に孤立点において、発熱体の蓄熱が少ないために、画素に対して熱をかけても穿孔しない現象、つまり、不発現象が発生してしまう。そのため、画像の再現精度が劣化してしまう。ここで、孤立点は、穿孔対象の画素の内で、孤立している画素のことを意味している。つまり、孤立点は、左右に隣接する画素が穿孔対象ではない、穿孔対象の画素のことを意味している。なお、以下において、穿孔対象の画素を黒画素と称し、穿孔対象ではない画素を白画素と称することとする。
【０００５】
この問題を解決するための方法として、例えば、特許文献１で提案されている方法がある。特許文献１で提案されている方法は、孤立点に対し、画素当たりの穿孔面積をより大きくするように制御することで、孤立点における不発現象を抑制するものである。
【先行技術文献】
【特許文献】
【０００６】
【特許文献１】特開２００６−３４１５５６号公報
【発明の概要】
【発明が解決しようとする課題】
【０００７】
しかしながら、特許文献１で提案されている方法では、孤立点に対し、画素当たりの穿孔面積をより大きくするように制御することで、孤立点における不発現象を抑制することは可能であるが、穿孔面積のバラツキの発生が増加してしまう。
【０００８】
上記問題点に鑑み、本発明では、不発現象の発生を抑制して、安定して穿孔することを可能とする孔版製版装置を提供することを課題とする。
【課題を解決するための手段】
【０００９】
請求項１に係る孔版製版装置は、孔版原紙に穿孔画像を製版する製版手段と、入力された画像データに二値化処理を施す二値化手段と、前記二値化手段により二値化された二値データに対して、文字画像の領域と非文字画像の領域を検出する検出手段と、前記検出手段により検出された前記非文字画像の領域に低解像度処理を施す低解像度化手段と、前記二値化処理及び前記低解像度処理を施された加工データを前記低解像度化手段により低解像度化される前の解像度に復元する解像度復元手段と、備え、前記解像度復元手段により復元された画素の位置に、前記低解像度化手段により低解像度処理を施された後の前記画素と同一の画素を連続的に配置した配置データを生成するデータ生成手段と、を備え、前記製版手段は、前記配置データに基づいて、前記画像データを製版することを特徴とする。
【００１０】
請求項２に係る孔版製版装置は、孔版原紙に穿孔画像を製版する製版手段と、入力された画像データに対して、文字画像の領域と非文字画像の領域を検出する検出手段と、前記検出手段により検出された前記非文字画像の注目の画素列の画素と同一の画素を、前記画素列と隣接する隣接画素列の画素に連続的に配置した配置データを生成するデータ生成手段と、を備え、前記製版手段は、前記配置データに基づいて、前記画像データを製版することを特徴とする。
【００１１】
請求項３に係る孔版製版装置は、請求項１に係る孔版製版装置において、前記データ生成手段は、前記検出手段により検出された前記非文字画像の領域に低解像度処理を施す低解像度化手段と、前記二値化処理及び前記低解像度処理を施された加工データを前記低解像度化手段により低解像度化される前の解像度に復元する解像度復元手段と、備え、前記解像度復元手段により復元された画素の位置に、前記低解像度化手段により低解像度処理を施された後の前記画素と同一の画素を連続的に配置した配置データを生成することを特徴とする。
【発明の効果】
【００１２】
請求項１に係る孔版製版装置によれば、画像データを二値化した二値データを低解像度化し、低解像度化した加工データの解像度を元の解像度に復元する。そして、孔版製版装置は、復元された画素の位置に、低解像度化後の画素と同一の画素を連続して配置した復元データを生成する。そして、孔版製版装置は、復元データに基づいて、画像データに対応する孔版を製版する。こうすることで、不発現象の発生を抑制して、安定して穿孔することができる。また、階調画像における画質を向上させることができる。
【００１３】
また、請求項１に係る孔版製版装置によれば、画像データを二値化した二値データを低解像度化し、更に、解像度を復元する処理を行う。こうすることで、復元データの生成をハードウェアで実現する場合に、二値化前の画像データを低解像度化する場合と比較して回路規模を小さくすることが可能となる。
【００１４】
また、請求項２に係る孔版製版装置によれば、非文字画像の注目の画素列の画素と同一の画素を、隣接する隣接画素列の画素に連続的に配置した配置データを生成する。そして、製版手段は、配置データに基づいて、画像データを製版する。こうすることで、不発現象の発生を抑制して、安定して穿孔することができる。また、階調画像における画質を向上させることができる。
【００１５】
請求項３に係る孔版製版装置によれば、二値化前の画像データを低解像度化し、低解像度化した加工データの解像度を元の解像度に復元する。そして、孔版製版装置は、復元された画素の位置に、低解像度化後の画素と同一の画素を連続して配置した復元データを生成する。そして、孔版製版装置は、復元データに基づいて、画像データに対応する孔版を製版する。こうすることで、不発現象の発生を抑制して、安定して穿孔することができる。また、階調画像における画質を向上させることができる。
【図面の簡単な説明】
【００１６】
【図１】実施形態１における印刷システムの構成例を示す図である。
【図２】実施形態１における孔版印刷装置の構成例を示す機能ブロック図である。
【図３】実施形態１における１／ｎ低解像度化について説明するための図である。
【図４】実施形態１における孔版製版処理のフローを説明するためのフローチャートの例である。
【図５】具体例にしたがって、実施形態１における二値化データの合成までの処理の流れを説明するための図である。
【図６】実施形態２における孔版印刷装置の構成例を示す機能ブロック図である。
【図７】実施形態２における孔版製版処理のフローを説明するためのフローチャートの例である。
【図８】具体例にしたがって、実施形態２における二値化データの合成までの処理の流れを説明するための図である。
【図９】実施形態３における孔版製版処理のフローを説明するためのフローチャートの例である。
【発明を実施するための形態】
【００１７】
以下に本発明の実施の形態について図面を参照しながら詳細に説明する。
（実施形態１）
【００１８】
図１は、本実施形態１における印刷システム１００の構成例を示す機能ブロック図である。本実施形態１における印刷システム１００は、図１に示すように、孔版印刷装置１と、一又は複数の情報端末装置２と、を含み、孔版印刷装置１と情報端末装置２との間は、ネットワークＮＷを介して、相互に通信可能なように接続されている。なお、情報端末装置１は、パーソナルコンピュータなどであり、情報端末装置１のユーザは、プリンタドライバを介して、原稿の画像データを孔版印刷装置１に送信することができるように構成されている。
【００１９】
図２は、本実施形態における孔版印刷装置１の構成例を示す機能ブロック図である。本実施形態１における孔版印刷装置１は、入力された画像データに基づいて白黒データを生成し、生成した白黒データに基づいて孔版を製版する孔版製版装置である。本実施形態１における孔版印刷装置１は、図２に示すように、通信部１１と、画像読取部１２と、記憶部１３と、穿孔部１４と、制御部１５と、を備えている。
【００２０】
通信部１１は、例えば、通信モジュールなどを備えており、情報端末装置２との間で通信を行う。例えば、通信部１１は、情報端末装置２から送信される原稿の画像データを受信する。そして、通信部１１は、制御部１５の制御の下、受信した原稿の画像データを記憶部１３のデータエリアに格納する。
【００２１】
画像読取部１２は、例えば、イメージスキャナなどの画像読取装置などを備えており、原稿の画像データを生成し、制御部１５の制御の下、生成した画像データを記憶部１３のデータエリアに格納する。
【００２２】
記憶部１３は、例えば、ＲＡＭ（Random Access Memory）、ＲＯＭ（Read Only Memory）、不揮発性メモリなどを備えており、制御部１５が備える、例えば、ＣＰＵ（Central Processing Unit）のワークエリア、孔版印刷装置１全体を制御するための動作プログラムなどの各種プログラムを格納するプログラムエリア、原稿の画像データなどの各種データを格納するデータエリアとして機能する。
【００２３】
穿孔部１４は、例えば、サーマルプリントヘッド（Thermal Print Head ; TPH）などを備えており、孔版製版制御部１５８（詳しくは後述）の制御の下、孔版原紙を穿孔して孔版を製版する。より具体的には、サーマルプリントヘッドは、主走査方向に列設された複数個の発熱体を有しており、画像データに基づき生成された白黒データに基づいて、発熱体が選択的に加熱制御されることで孔版原紙に穿孔画像を形成する。
【００２４】
制御部１５は、例えば、ＣＰＵなどを備え、記憶部１３のプログラムエリアに格納されている動作プログラムを実行して、図２に示すように、領域検出部１５１と、濃度変換部１５２と、第１二値化部１５３と、解像度変換部１５４と、第２二値化部１５５と、解像度復元部１５６と、選択部１５７と、孔版製版制御部１５８としての機能を実現する。また、制御部１５は、動作プログラムを実行して、孔版印刷装置１全体を制御する制御処理や詳しくは後述の孔版製版処理などの処理を実行する。
【００２５】
領域検出部１５１は、既存の技術を用いて、入力された画像データにおける二値画像領域Ｄ１と階調画像領域Ｄ２を検出する。例えば、領域検出部１５１は、画素、あるいは、所定のブロック領域ごとに二値画像らしさを示す特徴を抽出することで、二値画像領域Ｄ１と階調画像領域Ｄ２を検出する。ここで、二値画像領域Ｄ１は、文字や線画などの二値画像の領域であり、階調画像領域Ｄ２は、網点や写真などの階調画像の領域である。つまり、二値画像領域Ｄ１と階調画像領域Ｄ２は、領域の種別（以下、領域種別という）を表している。
【００２６】
濃度変換部１５２は、各画素の濃度の変換を行う。より具体的には、濃度変換部１５２は、例えば、領域検出部１５１により検出された領域種別に応じて濃度変換曲線を選択して、選択した濃度変換曲線に基づいて、各画素の濃度の変換を行う。そして、濃度変換部１５２は、濃度変換後の画像データの複製を生成する。
【００２７】
第１二値化部１５３は、濃度変換後の画像データを二値化して、濃度変換後の画像データの白黒データを生成する。なお、以下において第１二値化部１５３により生成された白黒データを、第１白黒データと称することとする。
【００２８】
解像度変換部１５４は、二値化されていない濃度変化後の画像データの解像度を低解像度化する。例えば、解像度変換部１５４は、主走査方向に｛ｎ（ｋ−１）＋１｝（但し、ｋは“１”以上の整数）番目の画素列以外の画素列を省くことで、二値化されていない濃度変化後の画像データの解像度を１／ｎ低解像度化する。
【００２９】
ここで、図３を参照して、具体例にしたがって、１／ｎ低解像度化について、更に、説明する。図３は、本実施形態１における１／ｎ低解像度化について説明するための図であり、ｎ＝３の場合の例である。この場合、解像度変換部１５４は、主走査方向に１番目と４番目と７番目の画素列以外の画素列（２番目、３番目、５番目、６番目、８番目）を省くことで、二値化されていない濃度変化後の画像データの解像度を１／３低解像度化する。
【００３０】
図２に戻り、第２二値化部１５５は、低解像度化された画像データを二値化して、低解像度化された画像データの白黒データを生成する。
【００３１】
解像度復元部１５６は、低解像度化された画像データの第２白黒データの解像度を元の解像度に戻す処理、つまり、解像度を復元する処理を行う。例えば、解像度復元部１５６は、省かれた画素列の位置に、省かれなかった画素列の内で直前の画素列を、それぞれ、挿入することで、元の解像度に戻す処理を行う。つまり、解像度復元部１５６は、省かれた｛ｎ（ｋ−１）＋２｝番目〜｛ｎｋ｝番目までの画素列の位置に、｛ｎ（ｋ−１）＋１｝番目の画素列を挿入する。すなわち、解像度復元部１５６は、同じ画素列を連続して複数列挿入して解像度を復元することにより、画素を置換して孤立点を除去する。なお、以下において解像度復元部１５６により解像度が復元された白黒データを、第２白黒データと称することとする。
【００３２】
なお、第２二値化部１５５は、解像度復元部１５６により解像度が復元された画像データを二値化することで、第２白黒データを生成するようにしてもよい。つまり、第２二値化部１５５と解像度復元部１５６の処理の順序を入れ替えてもよい。
【００３３】
選択部１５７は、領域検出部１５１により検出された領域種別に応じて、第１白黒データと第２白黒データの中から、白黒データを選択する。より具体的には、選択部１５７は、領域種別が二値画像領域Ｄ１である場合には、第１白黒データを選択し、領域種別が階調画像領域Ｄ２である場合には、第２白黒データを選択する。そして、選択部１５７は、選択した白黒データの対応する領域内の白黒データを取得する。そして、選択部１５７は、取得した白黒データを対応する領域に当てはめて合成する。つまり、選択部１５７は、階調画像領域Ｄ２に対して、第１白黒データの対応する領域を、第２白黒データの対応する領域に置き換えることで白黒データを合成する。なお、以下において、合成後の白黒データを第３白黒データと称することとする。つまり、選択部１５７は、第３白黒データを生成することにより、解像度復元部１５６により復元された、階調画像領域Ｄ２における画素の位置に、解像度変換部１５４により低解像度処理を施された後の画素と同一の画素を連続して配置した復元データを生成する。
【００３４】
孔版製版制御部１５８は、選択部１５７により生成された第３白黒データに基づいて、穿孔部１４を制御して、孔版原紙に穿孔画像を形成することで、入力された画像データに対応した孔版を製版する。
【００３５】
次に、図４を参照して、本実施形態１における孔版製版処理の流れについて説明する。図４は、本実施形態１における孔版製版処理のフローを説明するためのフローチャートの例である。本孔版製版処理は、画像データの入力をトリガとして開始される。
【００３６】
領域検出部１５１は、入力された画像データにおける二値画像領域Ｄ１と階調画像領域Ｄ２を検出する（ステップＳ００１）。そして、濃度変換部１５２は、各画素の濃度の変換を行い（ステップＳ００２）、濃度変換後の画像データの複製を生成する（ステップＳ００３）。
【００３７】
そして、第１二値化部１５３は、濃度変換後の画像データを二値化して、第１白黒データを生成する（ステップＳ００４）。そして、解像度変換部１５４は、二値化されていない濃度変化後の画像データの解像度を低解像度化する（ステップＳ００５）。
【００３８】
そして、第２二値化部１５５は、低解像度化された画像データを二値化して、低解像度化された画像データの白黒データを生成する（ステップＳ００６）。そして、解像度復元部１５６は、第２二値化部１５５により生成された白黒データの解像度を復元して、第２白黒データを生成する（ステップＳ００７）。
【００３９】
そして、選択部１５７は、領域検出部１５１により検出された領域種別に応じて、第１白黒データと第２白黒データの中から、白黒データを選択し（ステップＳ００８）、選択した白黒データの対応する領域内の白黒データを取得する（ステップＳ００９）。そして、選択部１５７は、取得した白黒データを対応する領域に当てはめて合成する（ステップＳ０１０）。
【００４０】
そして、孔版製版制御部１５８は、選択部１５７により生成された第３白黒データに基づいて、穿孔部１４を制御して、孔版原紙に穿孔画像を形成することで、入力された画像データに対応した孔版を製版する（ステップＳ０１１）。そして、本処理は終了する。
【００４１】
次に、図４と図５を参照して、具体例にしたがって、本実施形態１における孔版製版処理のステップＳ０１０までの処理の流れについて、更に、説明する。
【００４２】
本具体例では、第１画像データｉｍｇ１１が、濃度変換後であって二値化前の画像だとする。また、第１画像データｉｍｇ１１の実線で囲まれている領域が二値画像領域Ｄ１であり、一点鎖線で囲まれている領域が階調画像領域Ｄ２であるものとする。
【００４３】
この場合、第１二値化部１５３は、第１画像データｉｍｇ１１を二値化して、二値画像領域Ｄ１用の白黒データである第１白黒データｉｍｇ１３Ａを生成する（図４のステップＳ００４）。
【００４４】
これに対し、解像度変換部１５４は、第１画像データｉｍｇ１１を１／ｎ低解像度化して、第２画像データｉｍｇ１２Ｂを生成する（図４のステップＳ００５）。なお、図５の具体例は、ｎ＝２の場合の例である。そして、第２二値化部１５５は、第２画像データｉｍｇ１２Ｂを二値化して、白黒データｉｍｇ１３Ｂを生成する（図４のステップＳ００６）。そして、解像度復元部１５６は、白黒データｉｍｇ１３Ｂの解像度を元の解像度に復元して、階調画像領域Ｄ２用の白黒データである第２白黒データｉｍｇ１４Ｂを生成する（図４のステップＳ００７）。
【００４５】
そして、選択部１５７は、第１画像データｉｍｇ１１の二値画像領域Ｄ１に対しては第１白黒データｉｍｇ１３Ａを選択し（図４のステップＳ００８）、第１白黒データｉｍｇ１３Ａの対応する領域の白黒データを取得する（図４のステップＳ００９）。同様に、選択部１５７は、第１画像データｉｍｇ１１の階調画像領域Ｄ２に対しては第２白黒データｉｍｇ１４Ｂを選択し（図４のステップＳ００８）、第２白黒データｉｍｇ１４Ｂの対応する領域の白黒データを取得する（図４のステップＳ００９）。そして、取得した白黒データを対応する領域に当てはめて合成した、第３白黒データｉｍｇ１５を生成する（図４のステップＳ０１０）。
【００４６】
上記実施形態１によれば、孔版印刷装置１は、二値化前の画像データを低解像度化し、低解像度化した加工データの解像度を元の解像度に復元することで、第２白黒データを生成する。そして、孔版印刷装置１は、階調画像領域Ｄ２に対して、第１白黒データの対応する領域のデータを、第２白黒データの対応する領域のデータに置換した第３白黒データを生成する。そして、孔版印刷装置１は、第３白黒データに基づいて、画像データに対応する孔版を製版する。こうすることで、不発現象の発生を抑制して、安定して穿孔することができる。また、階調画像における画質を向上させることができる。また、階調画像における画質を向上させることができる。
【００４７】
また、上記実施形態１によれば、孔版印刷装置１は、二値化前の画像データを低解像度化し、更に、解像度を復元することで第２白黒データを生成する。こうすることで、低解像度化した際に発生する誤差を周辺画素で補正することにより、画質を維持しながらの処理が可能となる。
（実施形態２）
【００４８】
上記実施形態１においては、階調画像領域Ｄ２用の第２白黒データは、二値化する前に低解像度化することで生成された。本実施形態２においては、階調画像領域Ｄ２用の第２白黒データは、二値化した後に低解像度化することで生成する。
【００４９】
本実施形態２における印刷システム１００は、図１に例示した印刷システム１００と同じである。
【００５０】
図６は、本実施形態２における孔版印刷装置１の構成例を示す機能ブロック図である。本実施形態２における孔版印刷装置１の基本的な構成は実施形態１の場合と同じである。しかしながら、図６に示すように、第２二値化部１５５を備えていない点で、実施形態１の場合と異なっている。また、濃度変換部１５２と、第１二値化部１５３と、解像度変換部１５４と、解像度復元部１５６がそれぞれ果たす役割が実施形態１の場合と若干異なっている。なお、以下においては、実施形態１と異なる部分を中心に説明することとする。
【００５１】
制御部１５は、例えば、ＣＰＵなどを備え、記憶部１３のプログラムエリアに格納されている動作プログラムを実行して、図６に示すように、領域検出部１５１と、濃度変換部１５２と、第１二値化部１５３と、解像度変換部１５４と、解像度復元部１５６と、選択部１５７と、孔版製版制御部１５８としての機能を実現する。また、制御部１５は、動作プログラムを実行して、孔版印刷装置１全体を制御する制御処理や詳しくは後述の孔版製版処理などの処理を実行する。
【００５２】
濃度変換部１５２は、各画素の濃度変換を行う。より具体的には、濃度変換部１５２は、例えば、領域検出部１５１により検出された領域種別に応じて濃度変換曲線を選択して、選択した濃度変換曲線に基づいて、各画素の濃度の変換を行う。
【００５３】
第１二値化部１５３は、濃度変換後の画像データを二値化して、濃度変換後の画像データの白黒データ（第１白黒データ）を生成する。そして、第１二値化部１５３は、第１白黒データを複製する。
【００５４】
解像度変換部１５４は、第１白黒データの解像度を低解像度化する。例えば、解像度変換部１５４は、主走査方向に｛ｎ（ｋ−１）＋１｝（但し、ｋは“１”以上の整数）番目の画素列以外の画素列を省くことで、第１白黒データの解像度を１／ｎ低解像度化する。
【００５５】
解像度復元部１５６は、低解像度化された第１白黒データの解像度を元の解像度に戻す処理、つまり、解像度を復元する処理を行う。例えば、解像度復元部１５６は、省かれた画素列の位置に、省かれなかった画素列の内で直前の画素列を、それぞれ、挿入することで、元の解像度に戻す処理を行う。つまり、解像度復元部１５６は、省かれた｛ｎ（ｋ−１）＋２｝番目〜｛ｎｋ｝番目までの画素列の位置に、｛ｎ（ｋ−１）＋１｝番目の画素列を挿入する。すなわち、解像度復元部１５６は、同じ画素列を連続して複数列挿入して解像度を復元することにより、画素を置換して孤立点を除去する。
【００５６】
なお、解像度が復元された第１白黒データが、本実施形態２における第２白黒データとなる。つまり、本実施形態２における第２白黒データは、解像度復元部１５６により、低解像度化された第１白黒データの解像度が元の解像度に復元されることで、生成される。
【００５７】
次に、図７を参照して、本実施形態２における孔版製版処理の流れについて説明する。図７は、本実施形態２における孔版製版処理のフローを説明するためのフローチャートの例である。本孔版製版処理は、画像データの入力をトリガとして開始される。
【００５８】
領域検出部１５１は、入力された画像データにおける二値画像領域Ｄ１と階調画像領域Ｄ２を検出する（ステップＳ００１）。そして、濃度変換部１５２は、各画素の濃度の変換を行う（ステップＳ００２）。
【００５９】
そして、第１二値化部１５３は、濃度変換後の画像データを二値化して、第１白黒データを生成し（ステップＳ００４）、生成した第１白黒データを複製する（ステップＳ１０１）。そして、解像度変換部１５４は、第１白黒データの解像度を低解像度化する（ステップＳ１０２）。そして、解像度復元部１５６は、低解像度化された第１白黒データを元の解像度に戻す処理を行い、第２白黒データを生成する（ステップＳ１０３）。
【００６０】
そして、選択部１５７は、領域検出部１５１により検出された領域種別に応じて、第１白黒データと第２白黒データの中から、白黒データを選択し（ステップＳ００８）、選択した白黒データの対応する領域内の白黒データを取得する（ステップＳ００９）。そして、選択部１５７は、取得した白黒データを対応する領域に当てはめて合成する（ステップＳ０１０）。
【００６１】
そして、孔版製版制御部１５８は、選択部１５７により生成された合成後の第３白黒データに基づいて、穿孔部１４を制御して、孔版原紙に穿孔画像を形成することで、入力された画像データに対応した孔版を製版する（ステップＳ０１１）。そして、本処理は終了する。
【００６２】
次に、図７と図８を参照して、具体例にしたがって、本実施形態２における孔版製版処理のステップＳ０１０までの処理の流れについて、更に、説明する。
【００６３】
本具体例では、第１画像データｉｍｇ２１が、濃度変換後であって二値化前の画像だとする。また、第１画像データｉｍｇ２１の実線で囲まれている領域が二値画像領域Ｄ１であり、一点鎖線で囲まれている領域が階調画像領域Ｄ２であるものとする。
【００６４】
この場合、第１二値化部１５３は、第１画像データｉｍｇ２１を二値化して、二値画像領域Ｄ１用の白黒データである第１白黒データｉｍｇ２２を生成する（図７のステップＳ００４）。
【００６５】
これに対し、解像度変換部１５４は、第１白黒データｉｍｇ２２を１／ｎ低解像度化して、第２画像データｉｍｇ２３Ｂを生成する（図７のステップＳ１０２）。なお、図８の具体例は、ｎ＝２の場合の例である。そして、解像度復元部１５６は、第２画像データｉｍｇ２３Ｂの解像度を元の解像度に復元して、階調画像領域Ｄ２用の白黒データである第２白黒データｉｍｇ２４Ｂを生成する（図７のステップＳ１０３）。
【００６６】
そして、選択部１５７は、第１画像データｉｍｇ２１の二値画像領域Ｄ１に対しては第１白黒データｉｍｇ２２を選択し（図７のステップＳ００８）、第１白黒データｉｍｇ２２の対応する領域の白黒データを取得する（図７のステップＳ００９）。同様に、選択部１５７は、第１画像データｉｍｇ２１の階調画像領域Ｄ２に対しては第２白黒データｉｍｇ２４Ｂを選択し（図７のステップＳ００８）、第２白黒データｉｍｇ２４Ｂの対応する領域の白黒データを取得する（図７のステップＳ００９）。そして、選択部１５７は、取得した白黒データを対応する領域に当てはめて合成した、合成後の第３白黒データｉｍｇ２５を生成する（図７のステップＳ０１０）。
【００６７】
上記実施形態２によれば、孔版印刷装置１は、画像データを二値化した二値データ（第１白黒データ）を低解像度化し、低解像度化した加工データの解像度を元の解像度に復元することで、第２白黒データを生成する。そして、孔版印刷装置１は、階調画像領域Ｄ２に対して、第１白黒データの対応する領域のデータを、第２白黒データの対応する領域のデータに置換した第３白黒データを生成する。そして、孔版印刷装置１は、第３白黒データに基づいて、画像データに対応する孔版を製版する。こうすることで、実施形態１の場合と同様に、不発現象の発生を抑制して、安定して穿孔することができる。また、階調画像における画質を向上させることができる。また、階調画像における画質を向上させることができる。
【００６８】
また、上記実施形態２によれば、孔版印刷装置１は、画像データを二値化した二値データ（第１白黒データ）を低解像度化し、更に、解像度を復元することで第２白黒データを生成する。こうすることで、第３白黒データの生成をハードウェアで実現する場合に、二値化前の画像データを低解像度化して第２白黒データを生成する場合と比較して回路規模を小さくすることが可能となる。
（実施形態３）
【００６９】
上記実施形態１と２においては、領域検出部１５１は、入力され画像データにおいて、二値画像領域Ｄ１と階調画像領域Ｄ２を検出すると説明した。しかしながら、これに限定されるものではなく、入力された画像データを二値化した白黒データにおいて、二値画像領域Ｄ１と階調画像領域Ｄ２を検出するようにしてもよい。この場合、例えば、記憶部１３のデータエリアに各種の文字と線の形状データを予め保持させ、領域検出部１５１は、入力された画像データを二値化した白黒データを、各種の文字と線の形状データと照合することで、二値画像領域Ｄ１と階調画像領域Ｄ２を検出することができる。
【００７０】
なお、本構成は、実施形態１と２のいずれに対しても適用することができる。図９は、本構成を実施形態２に適用した場合の孔版製版処理のフローを説明するためのフローチャートの例である。
【００７１】
なお、上記実施形態１乃至３において、低解像度化及び解像度の復元の処理は主走査方向に対して行うものとして説明したが、これに限定されるものではなく、副走査方向に対して行いようにしてもよいし、主走査方向と副走査方向の両方向に対して行うようにしても良い。
【００７２】
なお、上記実施形態１乃至３において、低解像度化及び解像度の復元の処理を行うものとして説明したが、解像度を変えずとも、画素列に着目して、その画素列の画素と同一画素を、隣接する画素列の画素に連続的に配置してデータ生成し、画素を置き換えるだけでもよい。たとえば、注目する画素列を主走査方向に｛ｎ（ｋ−１）＋１｝（但し、ｋは“１”以上の整数）番目の画素列とし、それ以外の画素列に画素を連続的に配置するようにしてもよい。このようにすることで、上記実施例１乃至３と同様に、不発現象の発生を抑制して、安定して穿孔でき、併せて、階調画像における画質を向上させることができる。
【００７３】
また、上記実施形態１乃至３において、選択部１５７は、二値画像領域Ｄ１に対しては第１白黒データを、階調画像領域Ｄ２に対しては第２白黒データを、選択すると説明した。しかしながら、これに限定されるものではなく、例えば、文字画像領域に対しては第１白黒データを、文字画像領域以外の非文字画像領域に対しては第２白黒データを、選択するようにしてもよい。
【００７４】
また、上記動作を実行するための動作プログラムを、フレキシブルディスク、ＣＤ−ＲＯＭ（Compact Disk-Read Only Memory）、ＤＶＤ（Digital Versatile Disk）、ＭＯ（Magneto Optical disk）などのコンピュータで読み取り可能な記録媒体に記憶して配布し、これを孔版印刷装置１の読取装置で読み取ってコンピュータにインストールすることにより、上述の処理を実行するようにしてもよい。さらに、インターネット上のサーバ装置が有するディスク装置等に動作プログラムを記憶しておき、通信モジュールを介して、孔版印刷装置１のコンピュータに動作プログラムをダウンロード等するものとしてもよい。
【００７５】
また、実施形態に応じて、ＲＡＭ、ＲＯＭ、フラッシュメモリ以外の他の種類の記憶装置が利用されてもよい。例えば、孔版製版装置１は、ＣＡＭ（Content Addressable Memory）、ＳＲＡＭ（Static Random Access Memory）、ＳＤＲＡＭ（Synchronous Dynamic Random Access Memory）などの記憶装置を有してもよい。
【００７６】
また、図２と図６に示す孔版印刷装置１の制御部１５の各機能部は、ハードウェア回路により実現されてもよい。具体的には、ＣＰＵの代わりに、ＦＰＧＡ（Field Programmable Gate Array）などのリコンフィギュラブル回路や、ＡＳＩＣ（Application Specific Integrated Circuit）やＤＳＰ（Digital Signal Processor）などにより、図２と図６に示す制御部１５の各機能部が実現されてもよい。もちろん、ＣＰＵとハードウェア回路の双方により、これらの機能部が実現されてもよい。
【００７７】
以上本発明の実施形態について説明したが、本発明は、以上に述べた実施形態に限定されるものではなく、本発明の要旨を逸脱しない範囲内で種々の構成又は実施形態を取ることができる。
【符号の説明】
【００７８】
１００  印刷システム
１      孔版印刷装置
１１    通信部
１２    画像読取部
１３    記憶部
１４    穿孔部
１５    制御部
１５１  領域検出部
１５２  濃度変換部
１５３  第１二値化部
１５４  解像度変換部
１５５  第２二値化部
１５６  解像度復元部
１５７  選択部
１５８  孔版製版制御部
２      情報端末装置
ＮＷ    ネットワーク
Ｄ１    二値画像領域
Ｄ２    階調画像領域
【図１】
2017007256.tif 000003
【図２】
2017007256.tif 000004
【図４】
2017007256.tif 000005
【図６】
2017007256.tif 000006
【図７】
2017007256.tif 000007
【図９】
2017007256.tif 000008
【図３】
2017007256.tif 000009
【図５】
2017007256.tif 000010
【図８】
2017007256.tif 000011